(57)【要約】【課題】  従来の金属製等の物差しは、３０ｃｍを越える長さになると、携帯や保管する際に、収まりが悪い不便があった。また、コンベックスはテープの凹面側に目盛りを備えており、その先端に湾曲の凸面側に突出して固定されたフックを有するのでテープの先端を測定物にピッタリ当てて測ることが出来なかった。また、テープがケース内のバネにより常に引っ張られており、且つ、ケースが横に倒れしやすく重いなど安定した作業の上で不便があった。【解決手段】湾曲したテープ面に目盛りを有する屈曲自在のテープからなる物差しの先端部に湾曲の凹凸何れにも向きを変えられるフックを設けると共に、方形断面の真直な管状の収納部を有する低い長方形の収納ケースにテープを屈曲して収納し、計測時に滑らかに出し入れ出来、屈曲による自らの反発力によるケースとの摩擦力でその移動を安定に保持して計測出来るようにすると共に、使用後の保管や携帯に便利にした。【選択図】  図１１
2019174430.tif 000002
【特許請求の範囲】
【請求項１】
湾曲した帯面を有し少なくともその片面側にその前端側より後方へ尺度目盛りを備えその長さ方向に垂直な前端面を備える一定長さのテープと、
前記テープの前記前端面の前側の位置で前後方向の一定の厚さと一定の幅と上下方向へテープの高さを超える一定の高さを有しその後面が前記テープの前端面に接面した位置でテープの前後方向線に垂直をなす略四辺形の板状のフック板と該フック板の上下の辺の一方側に寄った位置の後面上に垂直に且つテープの湾曲の凹側内を後方へ真直に伸びその軸上にフック板の幅方向の側へ突出するカム部を有する軸部を固定に備えるフック体と、
テープの凹面側に固定手段により固定され前記軸部の下半側を覆いテープの凹面側との間で前記フック体をその軸部周りに回転可能かつ前後方向に移動可能に保持する軸保持手段と、
前記軸保持手段内に形成されフック体のカム部の下側を覆って軸部の回転に伴って上下方向に振動する弾性体のカム押え手段と、
前記フック体の一部位にその前後移動の方向に直角方向の面に形成される前移動当て面とフック板の後面がテープの前端面に接面した位置にある時に前記テープを含む前記軸保持手段の一部位の前記前移動当て面の前側へフック板の厚さに等しい間隔離れた位置で対面するように形成される前移動受面から成るフック体の前移動止め手段を備え
フック板の前端面を長さ目盛りの零点としたことを特徴とする物差し。
【請求項２】
湾曲した帯面を有し少なくともその片面側にその前端側より後方へ尺度目盛りを備えその長さ方向に垂直な前端面を備える一定長さのテープと、
前記テープの前記前端面の中央部に形成された前後方向に一定の深さと左右方向に一定の幅のフック窪み部と、
前記テープの前記フック窪み部の前側の位置で前記フック窪み部の深さより薄い前後方向の厚さと前記フック窪み部の幅より狭い横幅と上下方向へテープの高さを超える一定の高さを有しその後面が前記テープの前端面に合致した位置でテープの前後方向線に垂直をなすフック板と該フック板の上下の辺の一方側に寄った位置の後面上に垂直に且つテープの湾曲の凹側内を後方へ真直に伸びその軸上にフック板の幅方向の側へ突出するカム部を有する軸部を固定に備えるフック体と、
テープの凹面側に固定手段により固定され前記軸部の下半側を覆いテープの凹面側との間で前記フック体をその軸部周りに回転可能かつ前後方向に移動可能に保持する軸保持手段と、
前記軸保持手段内に形成されフック体のカム部の下側を覆って軸部の回転に伴って上下方向に振動する弾性体のカム押え手段と、
前記フック体の一部位にその前後移動の方向に直角方向の面に形成される前移動当て面とフック板の後面が前記テープの前端面に合致した位置にある時に前記テープを含む前記軸保持手段の一部位の前記前移動当て面の前側位置で対面するように形成される前移動受面から成るフック体の前移動止め手段を備え
前記テープの前記前端面を目盛りの零点としたことを特徴とする物差し。
【請求項３】
軸保持手段がフック体のカム部の下側面を覆い該カム部の横側の一方側の部分が上下に片振り振動可能に分離された弾性を有するカム押え部を備えることを特徴とする請求項１又は２記載の物差し。
【請求項４】
フック体のフック板の後面上の軸部の一方側に隣接した位置にテープの前端部の凹面側内に突出する回り止め凸部を備えることを特徴とする請求項１又は２記載の物差し。
【請求項５】
フック体のカム部の前側面の前移動当て面と、軸保持手段のカム押え部の前側の保持部の後端面の前記前移動当て面に対面する位置の前移動受面から成るフック体の前移動止め手段を備えることを特徴とする請求項１又は２記載の物差し。
【請求項６】
フック体の軸部の後方の軸保持手段の後端面よりへ露出する部位に形成された後部突起の前側面の前移動当て面と、軸保持手段の後端面の前記前移動当て面に対面する位置の前移動受面から成るフック体の前移動止め手段を備えることを特徴とする請求項１又は２記載の物差し。
【請求項７】
湾曲した帯面を有し少なくともその片面側にその前端側より後方へ尺度目盛りを備えその後端側に幅の狭い後端と、該後端に向かって両側端より緩やかな傾きの真直面で延びる平坦な面に形成された後端部を備える屈曲自在のテープから成ることを特徴とする物差し。
【請求項８】
湾曲した帯面を有し少なくともその片面側にその前端側より後方へ尺度目盛りを備えその後端側に幅の狭い後端と、該後端に向かって両側端より緩やかな傾きで放物線状の曲面で延びる平坦な面に形成された後端部を備える屈曲自在のテープから成ることを特徴とする物差し。
【請求項９】
湾曲した帯面を有し少なくともその片面側にその前端側より後方へ尺度目盛りを備えその長さ方向に垂直な前端面を備える一定長さの屈曲自在のテープと、
該テープの横幅を超える内幅と該テープの屈曲の最大直径以下の内高の方形断面を有し、両端が開放された所定の長さの真直ぐな管状の収納ケースを備えることを特徴とする物差し。
【請求項１０】
前記管状の収納ケースの横側面の下側に外方向に出っ張る形に形成されその上面に尺度目盛りを設けたスカートを備えることを特徴とする請求項９記載の物差し。
【請求項１１】
湾曲した帯面を有し少なくともその片面側にその前端側より後方へ尺度目盛りを備えその長さ方向に垂直な前端面を備える一定長さの屈曲自在のテープと、
該テープの横幅を超える内幅と該テープの屈曲の最大直径以下の内高の方形断面を有する所定の長さの真直ぐな管状部と、該管状部の両端側で内側に屈曲テープとの間で押付けの調整手段を備えるテープ案内面の移動案内手段を備える前後の両側壁と、少なくとも前後の一方の側の側壁の下部に設けられたテープ挿入口からなる収納ケースを備えることを特徴とする物差し。
【請求項１２】
移動案内手段のテープ案内面が前記側壁の内側の中央部に形成された押付け調整隙間を備える中央案内壁部からなることを特徴とする請求項１１記載の物差し。
【請求項１３】
移動案内手段のテープ案内面が前記側壁の内側の中央部に形成された押付け調整角度を備える複数の中央案内ローラからなることを特徴とする請求項１１記載の物差し。
【請求項１４】
移動案内手段のテープ案内面に接面する屈曲テープ面より一定間隔を置いた内側位置に外周面を有する中央内側ローラからなる内側案内手段を備えることを特徴とする請求項１１記載の物差し。
【請求項１５】
テープ挿入口の上部の両横側の周縁部分の内側に上下方向に溝状に伸びる形に形成され各々その溝の前面側に逆三角形状に窪む上部ラッチ溝と下部ラッチ溝を備える両横のスライド溝を備え該前後のスライド溝の内側を外側に開かれた側壁と、その両横の両端を前記スライド溝内にスライド可能に保持され前記ラッチ溝に対面する位置に各々逆三角形状に突出する両横のラッチ爪とその上辺部のスライド溝の内側部分で外側に露出する指当て部とその下端側のテープ押端とを備える薄板状のストッパ−を備えることを特徴とする請求項１１記載の物差し。
【請求項１６】
テープ挿入口の上部の両横側の周縁部分の内側に上下方向に溝状に伸びる形に形成され各々その溝の前面側に逆三角形状に窪む上部ラッチ溝と下部ラッチ溝を備える両横のスライド溝を備える側壁と、前記スライド溝の上半部分に適合する位置の両横の壁面に開けられた操作窓と、その両横の両端を前記スライド溝内にスライド可能に保持され前記ラッチ溝に対面する位置に各々逆三角形状に突出する両横のラッチ爪とその上辺部にあって両横のスライド溝より両横方向の外側へ突出し前記操作窓部分より収納ケースの両横の壁面側に露出する操作突起とその下端側のテープ押端とを備える薄板状のストッパ−を備えることを特徴とする請求項１１記載の物差し。
【請求項１７】
前記両横のスライド溝の上半部分に適合する位置の両横の壁面に開けられた操作窓と、ストッパ−の上辺部に両横のスライド溝より両横方向に外側へ突出し前記操作窓部分より収納ケースの両横の壁面側に露出する操作突起を備えることを特徴とする請求項１５記載の物差し。
【請求項１８】
その下端側のテープ押端の上部周りの細くなった撓み部を備えることを特徴とする請求項１５、１６又は１７記載の物差し。
【発明の詳細な説明】
【技術分野】
【０００１】
本発明は、所謂直尺あるいは巻尺を含めた物差しに関するものである。特に、湾曲した帯面の薄い帯状体からなりその両面ないし片面に尺度目盛りを有する物差しに関するものである。
【背景技術】
【０００２】
これまで直尺は、例えば、３０cm、６０cm、１m等の一定長さを有するステンレスの平鋼やプラスチック材などの厚みと一定の幅を有する平帯板に目盛りを彫り込み、あるいは、印刷したものなどが多い。
一般に、コンベックスと呼ばれている湾曲したテープ面を有し、自らの弾力でその真直状態を保持する薄い鋼製のテープからなる巻尺がある。
【先行技術文献】
【特許文献】
【０００３】
【特許文献１】公開実用平成４−１４０３
【特許文献２】特開２００２−１３１００３
【特許文献３】特開２００７−００３４６６
【特許文献４】特開２０１２−２０２９１６
【特許文献４】特開２０１６−２１８０３０
【特許文献５】米国特許No.８７７６３８９Ｂ２
【発明の概要】
【発明が解決しようとする課題】
【０００４】
前記した従来のような直尺は、長くて重いので、硬くて平坦な面に置いた時に取り上げ難いものなどが多い。このようなことから、計測時の取扱いが不便などの欠点があった。
さらに、例えば、３０ｃｍを越える長さになると、携帯する際や保管する際に、工具箱などに収まりが悪いなどの不便があった。
【０００５】
巻尺のテープは計測の際に不必要に重いケース部分が計測の邪魔になることは多くの技術者等が経験するところである。
【０００６】
又、物の寸法を計測する物差しは、先端部分が計測しようとする相手側の部分にピタリと正しく当てられるようになっていることが大事である。
又、従来のコンベックスは、そのテープの先端部に鋼製の┏ 形のフックが付いている。このようなコンベックスは、平たい面上にテープの先端を付けて計測しなければならない際には、フックが邪魔をして不都合であった。
【０００７】
特開２０１６−２１８０３０に開示される物差しでは、近似長方形の収納ケース内にテープを屈曲して複数の真直部を形成して重ね巻きにして収納するものが提案されている。
ここで、開示されたその実施例の図６〜図８と明細書の段落２８の記載について見ると、「・・・・・ケース２０は、その正面から見た形状が左右の短辺が外側に半円形に湾曲した近似的な長方形をなしている。図に向かって右側の側壁の曲壁面２１が第一の屈曲案内手段、左側の側壁の曲壁面２２が第二の屈曲案内手段を形成している。ケース２０の上辺側は、第一の屈曲案内手段の曲壁面２１と第二の屈曲案内手段の曲壁面２２の各々上端側に連なる上部壁面２４の第一の真直空間手段をなし、ケース２０の下辺側は、曲壁面２１と曲壁面２２の各々下端側に連なる下部壁面２５の第二の真直空間手段をなしている。真直空間手段は、ケース２０内のテープの真直部の長さを決める。ここでは、第一の屈曲案内手段と第二の屈曲案内手段の間隔を決定づける。ケース２０は、これらの連なる二つの屈曲案内手段と二つの真直空間手段からなる外側案内手段によって形成されている。」と記載されている。
【０００８】
また、段落３９では、「・・・・・真直空間手段は、屈曲したテープが真直ぐに伸びる空間を確保するものであって、必ずしもテープの真直部２９ ″に接近した壁面である必要はない。この実施形態では、図に示すように、二つの真直空間手段は左右の屈曲案内手間にあって、各々その両端側が対応する右側の側壁のローラ３２″ と左側の側壁のローラ３２″ の内側面に滑らかに連なる真直な上部壁面３５からなる第一の真直案内手段と、真直な下側の下部壁面２５″ の第二の真直案内手段を形成している。この二つの真直案内手段は、外側案内手段を構成する真直空間手段の概念の内に含まれるが、ケース内を最初に屈曲案内手段に向かって進行するテープの終端側６” をより安定に案内する働きをする。」と記載されている。
【０００９】
さらに、図７、図９〜図１０の実施例では、上部壁面２４、２４、２４″及び下部壁面２５、２５′、２５″は、テープの真直部２９、２９′、２９″の外側から離れており、その説明の段落３１の記載内容を見ると、「複数の真直部を伴って巻かれたテープＢは、自らは挿入方向にも引き出す方向にも、いずれの側にも移動することなくケース内に保持される。テープＢとケースの外側案内手段２６との摩擦抵抗に打ち勝つ力でテープＢを押し引きすることによってのみ、それを挿入、あるいは、引き出すことが出来、テープの引き込みのバネや、ロック装置などが不要である。」との記載はあるが、ここに記載される「外側案内手段２６」が何処を指すかを示されておらず、前述の段落２８での記載の中にある「これらの連なる二つの屈曲案内手段と二つの真直空間手段からなる外側案内手段によって形成されている。」との記載、並びに、図１２の実施例の説明中にある記載「外側案内手段４１」から判断すると曲壁面２１及び曲壁面２２に相当すると思われる。
ケース内のテープの上下二つの真直部とケースの上下の内壁面との接触と摩擦、ことにその摩擦抵抗について触れられていない。テープＢがケース内での出入りのいずれの側にも移動しないのは、真直部の存在自体がテープが自ら飛び出そうとする力を生じさせないことによるものである。
以上の点から、この提案の収納ケースは、左右の屈曲部に於ける接触摩擦による保持に依存し、且つ、その摩擦抵抗を少なくしてテープに軽快な動きを与えることにその解決課題の要点を置いたものである。
しかしながら、実際の物の計測においては、テープの動きが軽すぎると、目盛りが安定せずにずれを生じ易く、測定の安定性を害することがしばしば生ずる。その為に、移動を止めるストッパー（ロック装置）のようなものが不可欠なものとなってくる。
【００１０】
また、テープ先端部の保護について、図１５〜図１７と明細書の段落５０の記載では、テープＥの先端部の裏面側に結合される先端片６０について、「その先端面６４はテープの先端面６５に合致しており、テープＥの長手方向の帯面に直角な平面である。・・・・・テープの両横端６６と先端面６５との両角部は、小さな半径の面取り６７がなされ、薄くて弱いテープＥの鋭利な角部が除かれている。この先端片６０によってテープの正確な角部が維持され、且つ、テープの先端部分が保護される。」とされている。
しかしながら、このようなテープの先端面の保護においては、テープ先端の強度的な保護の機能は得られるが、テープの最も鋭利な先端部分が直に測定物面に接触することは避けられず、先端部の損傷や先端の損耗、あるいは目盛り面の擦過などによる目盛りの消失を生じやすい。
【００１１】
本発明の目的は、テープの先端部に帯面の何れの側にも向きを変えられるフックを備え、より正確な計測の出来る湾曲した帯面の屈曲自在の物差しを提供することである。
本発明のさらに他の目的は、フック板が帯面の何れの側でも安定に保持されるフックを備える湾曲した帯面の物差しを提供することである。
本発明のさらに他の目的は、目盛りの付いたテープの先端を被測定物にピッタリ付けられ、測定し易い湾曲した帯面の物差しを提供することである。
本発明のさらに他の目的は、テープの先端面を直に被測定物にピッタリ付けられ、より正確に測定出来る軽くて簡明なフックを備える湾曲した帯面の物差しを提供することである。
本発明の他の目的は、計測時に平面上に置かれた物差しを容易に取り上げることが出来る扱い易い湾曲した帯面の屈曲自在の物差しを提供することである。
本発明の他の目的は、単純な構造で軽量、且つ、湾曲したテープ面の何れの側にも屈曲して収納出来る収納ケースの付いた湾曲した帯面の屈曲自在の物差しを提供することである。
本発明の他の目的は、比較的短い長さの計測に適した利点を備えると共に、収納性や携帯性、並びに、計測時に計測物や周囲の物に安定して置ける取扱いに便利な湾曲した帯面を有する屈曲自在の物差しを提供することである。
本発明のさらに他の目的は、収納ケースよりテープの一部分のみを引き出して扱うことも出来、収納ケースより完全に取り出して直尺のようにも使える湾曲した帯面の屈曲自在の物差しを提供することである。
本発明のさらに他の目的は、テープの出し入れの操作が適度の移動抵抗を伴って行われ、収納ケース上のテープの設定位置の安定が得られる湾曲した帯面の屈曲自在の物差しを提供することである。
本発明の他の目的は、収納ケースに屈曲して収納さるテープを出し入れする際に、その屈曲部と真直部との間の移行が脈動なく滑らかに行われると共に、テープの後端側の挿入の際に、ケースの屈曲部で円滑に屈曲される屈曲自在の物差しを提供することである。
本発明のさらに他の目的は、テープの挿入時や引き出し時にテープ帯面を受け止めてその屈曲や真直への円滑な移行を助けると共に、帯面の擦過傷をその中央部分の狭い範囲に止めることが出来る収納ケースを備える湾曲した帯面の屈曲自在の物差しを提供することである。
本発明のさらに他の目的は、テープ挿入口の上部で操作出来、計測や取扱の邪魔にならない扱い易いテープの移動ストッパ−を備える収納ケースの物差しを提供することである。
本発明のさらに他の目的は、その側壁の下部に尺度目盛りを備えケース自体を直尺として使用出来る収納ケースを備える物差しを提供することである。
本発明のさらに他の目的は、収納ケースよりテープの先端側を引き出してテープの先端面、あるいは先端のフックと収納ケースの前後の両端面との間で物の内径の測定など様々な長さ部の採測や、長さの模範器具としての応用が可能な物差しを提供することである。
【課題を解決するための手段】
【００１２】
上記の目的を達成する為に、本発明は、湾曲した帯面を有し少なくともその片面側にその前端側より後方へ尺度目盛りを備えその長さ方向に垂直な前端面を備える一定長さのテープと、前記テープの前記前端面の前側の位置で前後方向の一定の厚さと一定の幅と上下方向へテープの高さを超える一定の高さを有しその後面が前記テープの前端面に接面した位置でテープの前後方向線に垂直をなす略四辺形の板状のフック板と該フック板の上下の辺の一方側に寄った位置の後面上に垂直に且つテープの湾曲の凹側内を後方へ真直に伸びその軸上にフック板の幅方向の側へ突出するカム部を有する軸部を固定に備えるフック体と、
テープの凹面側に固定手段により固定され前記軸部の下半側を覆いテープの凹面側との間で前記フック体をその軸部周りに回転可能かつ前後方向に移動可能に保持する軸保持手段と、前記軸保持手段内に形成されフック体のカム部の下側を覆って軸部の回転に伴って上下方向に振動する弾性体のカム押え手段と、前記フック体の一部位にその前後移動の方向に直角方向の面に形成される前移動当て面とフック板の後面がテープの前端面に接面した位置にある時に前記テープを含む前記軸保持手段の一部位の前記前移動当て面の前側へフック板の厚さに等しい間隔離れた位置で対面するように形成される前移動受面から成るフック体の前移動止め手段を備えフック板の前端面を目盛りの零点としたことを特徴とする物差しを提供する。
【００１３】
湾曲した帯面を有し少なくともその片面側にその前端側より後方へ尺度目盛りを備えその長さ方向に垂直な前端面を備える一定長さのテープと、前記テープの前記前端面の中央部に形成された前後方向に一定の深さと左右方向に一定の幅のフック窪み部と、前記テープの前記フック窪み部の前側の位置で前記フック窪み部の深さより薄い前後方向の厚さと前記フック窪み部の幅より狭い横幅と上下方向へテープの高さを超える一定の高さを有しその後面が前記テープの前端面に合致した位置でテープの前後方向線に垂直をなすフック板と該フック板の上下の辺の一方側に寄った位置の後面上に垂直に且つテープの湾曲の凹側内を後方へ真直に伸びその軸上にフック板の幅方向の側へ突出するカム部を有する軸部を固定に備えるフック体と、テープの凹面側に固定手段により固定され前記軸部の下半側を覆いテープの凹面側との間で前記フック体をその軸部周りに回転可能かつ前後方向に移動可能に保持する軸保持手段と、前記軸保持手段内に形成されフック体のカム部の下側を覆って軸部の回転に伴って上下方向に振動する弾性体のカム押え手段と、前記フック体の一部位にその前後移動の方向に直角方向の面に形成される前移動当て面とフック板の後面が前記テープの前端面に合致した位置にある時に前記テープを含む前記軸保持手段の一部位の前記前移動当て面の前側位置で対面するように形成される前移動受面から成るフック体の前移動止め手段を備え前記テープの前記前端面を目盛りの零点としたことを特徴とする物差しを提供する。
【００１４】
また、軸保持手段がフック体のカム部の下側面を覆い該カム部の横側の一方側の部分が上下に片振り振動可能に分離された弾性を備えるカム押え部を備えることを特徴とする物差しを提供する。
【００１５】
また、フック体のフック板の後面上の軸部の一方側に隣接した位置にテープの前端部の凹面側内に突出する回り止め凸部を備えることを特徴とする物差しを提供する。
【００１６】
また、フック体のカム部の前側面の前移動当て面と、軸保持手段のカム押え部の前側の保持部の後端面の前記前移動当て面に対面する位置の前移動受面から成るフック体の前移動止め手段を備えることを特徴とする物差しを提供する。
【００１７】
また、フック体の軸部の後方の軸保持手段の後端面よりへ露出する部位に形成された後部突起の前側面の前移動当て面と、軸保持手段の後端面の前記前移動当て面に対面する位置の前移動受面から成るフック体の前移動止め手段を備えることを特徴とする物差しを提供する。
【００１８】
また、湾曲した帯面を有し少なくともその片面側にその前端側より後方へ尺度目盛りを備えその後端側に幅の狭い後端と、該後端に向かって両側端より緩やかな傾きの真直面で延びる平坦な面に形成された後端部を備える屈曲自在のテープから成ることを特徴とする物差しを提供する。
【００１９】
また、湾曲した帯面を有し少なくともその片面側にその前端側より後方へ尺度目盛りを備えその後端側に幅の狭い後端と、該後端に向かって両側端より緩やかな傾きで放物線状の曲面で延びる平坦な面に形成された後端部を備える屈曲自在のテープから成ることを特徴とする物差しを提供する。
【００２０】
また、湾曲した帯面を有し少なくともその片面側にその前端側より後方へ尺度目盛りを備えその長さ方向に垂直な前端面を備える一定長さの屈曲自在のテープと、
該テープの横幅を超える内幅と該テープの屈曲の最大直径以下の内高の方形断面を有し、両端が開放された所定の長さの真直ぐな管状の収納ケースを備えることを特徴とする物差しを提供する。
【００２１】
管状の収納ケースの横側面の下側に外方向に出っ張る形に形成されその上面に尺度目盛りを設けたスカートを備えることを特徴とする請求項１０記載の物差しを提供する。
これにより、ケース自体を直尺として使用出来る収納ケースを備える物差しとすることが出来る。
【００２２】
また、湾曲した帯面を有し少なくともその片面側にその前端側より後方へ尺度目盛りを備えその長さ方向に垂直な前端面を備える一定長さの屈曲自在のテープと、該テープの横幅を超える内幅と該テープの屈曲の最大直径以下の内高の方形断面を有する所定の長さの真直ぐな管状部と、該管状部の両端側で内側に屈曲テープとの間で押付けの調整手段を備えるテープ案内面の移動案内手段を備える前後の両側壁と、少なくとも前後の一方の側の側壁の下部に設けられたテープ挿入口からなる収納ケースを備えることを特徴とする物差し提供する。
【００２３】
また、移動案内手段のテープ案内面が前記側壁の内側の中央部に形成された押付け調整隙間を備える中央案内壁部からなることを特徴とする物差し提供する。
【００２４】
また、移動案内手段のテープ案内面が前記側壁の内側の中央部に形成された押付け調整角度を備える複数の中央案内ローラからなることを特徴とする物差しを提供する。
【００２５】
また、移動案内手段のテープ案内面に接面する屈曲テープの面より一定間隔を置いた内側位置に外周面を有する中央内側ローラからなる内側案内手段を備えることを特徴とする物差しを提供する。
【００２６】
また、テープ挿入口の上部の両横側の周縁部分の内側に上下方向に溝状に伸びる形に形成され各々その溝の前面側に逆三角形状に窪む上部ラッチ溝と下部ラッチ溝を備える両横のスライド溝を備え該前後のスライド溝の内側を外側に開かれた側壁と、その両横の両端を前記スライド溝内にスライド可能に保持され前記ラッチ溝に対面する位置に各々逆三角形状に突出する両横のラッチ爪とその上辺部のスライド溝の内側部分で外側に露出する指当て部とその下端側のテープ押端とを備える薄板状のストッパ−を備えることを特徴とする物差しを提供する。
【００２７】
また、テープ挿入口の上部の両横側の周縁部分の内側に上下方向に溝状に伸びる形に形成され各々その溝の前面側に逆三角形状に窪む上部ラッチ溝と下部ラッチ溝を備える両横のスライド溝を備える側壁と、前記スライド溝の上半部分に適合する位置の両横の壁面に開けられた操作窓と、その両横の両端を前記スライド溝内にスライド可能に保持され前記ラッチ溝に対面する位置に各々逆三角形状に突出する両横のラッチ爪とその上辺部にあって両横のスライド溝より両横方向の外側へ突出し前記操作窓部分より収納ケースの両横の壁面側に露出する操作突起とその下端側のテープ押端とを備える薄板状のストッパ−を備えることを特徴とする物差しを提供する。
【００２８】
また、前後のスライド溝の上半部分に適合する位置の外側の前後の壁面に開けられた操作窓と、ストッパ−の上辺部に前後のスライド溝より前後方向に外側へ突出し前記操作窓部分より収納ケースの前後の壁面側に露出する操作突起を備えることを特徴とする物差しを提供する。
【００２９】
また、前記ストッパ−の下端側のテープ押端の上部周りの細くなった撓み部を備えることを特徴とする物差しを提供する。
【００３０】
本発明の収納ケースを備える屈曲自在の物差しに於いては、従来のコンベックスのように、テープをその凹面側をケースの内側向きにして挿入し、ケース内でテープを凹面側に屈曲して巻くように収納することも出来る。また、テープをケース内で湾曲の凸面側に屈曲して収納することも出来る。
本発明は、これらの手段に加え、後述の実施形態の詳細な説明の中で明らかにするような屈曲自在の物差しを提供する。
【発明の効果】
【００３１】
本発明によれば、テープの前端部に後方へ伸びる軸部の前端にテープの前端面に垂直なフック板を備えるフック体を設け、該フック体の軸部を軸保持手段によりテープの凹面側に回転可能、且つ、軸方向移動可能に保持し、フック板をテープの先前端面に垂直な面内でテープ面の何れの側にも向きを変えられ、且つ、フック板の厚さに等しい長さ前後移動するフックとしたので、測定の邪魔にならず、より正確な計測の出来る物差しが得られる。
【００３２】
また、フック体の軸部にカム部を設け、軸保持手段内の弾性体のカム押え手段によって軸部の回転が一定の方向に抑えられフック板の向きの安定が保たれる物差しが得られる。
【００３３】
さらに、フック体の軸部が湾曲したテープの凹面側にコンパクトに収められるので、目盛りの付いたテープの先端を被測定物にピッタリ付けられ、測定し易い物差しが得られる。
【００３４】
さらに、テープの前端面の中央部にフック窪み部を設け、フック窪み部内に出入りするフック体としたので、テープの先端面を目盛りの零点として直に被測定物に付けたより正確な測定の出来る軽くて簡明なフックを備える物差しが得られる。
【００３５】
また、フック板の後面上の軸部の一方側に隣接した位置にテープの前端部の凹面側内に突出する回り止め凸部を設けることにより、操作の感触からフック板を自ずと定められた方向に旋回させて向きを変えることが出来る。
【００３６】
フック体の軸部に設けられたカム部や特別に設けた後部突起の前側面の前移動当て面と軸保持手段の後端面の前移動受面間によるフック体の正確な前後移動の行われる物差しが得られる。
【００３７】
テープの後端部を幅の狭い後端と、該後端に向かって両側端より緩やかな傾きの真直面で延びる平坦な面としたので、取り上げやすく、且つ、この部分の屈曲部での反発力と復元力が弱められ、且つ、先の屈曲面に沿って脈動のない滑らかな出し入れ操作の行われる収納ケース付き物差しが得られる。
【００３８】
また、テープの後端部を幅の狭い後端と、該後端に向かって両側端より緩やかな傾きで放物線状の曲面で延びる平坦な面とすることで、先の屈曲面に沿ってより脈動の小さい滑らかな出し入れ操作の行われる収納ケース付き物差しが得られる。
【００３９】
湾曲したテープ面の真直な目盛りテープを低い長方形の単純な構造の収納ケース内に巻いて収納し、引き出して使用することが出来るので、直尺としての利点を有し、且つ、収納性や携帯性に優れた物差しを提供することが出来る。
【００４０】
管状の収納ケースの横側面の下側に外方向に出っ張る形に形成されその上面に尺度目盛りを設けたスカートを設けたので、ケース自体を直尺として使用出来る収納ケースを備える物差しとすることが出来る。
【００４１】
方形断面を有する両端が開放された真直ぐの管状からなる収納ケースとしたことにより、両端の屈曲部の反発力によりその間の上下の真直部がケースの内壁面に確り押し付けられ、その摩擦力で巻きテープとテープの先端が安定に保持され、低い長方形のケースの付いた扱い易い物差しを提供することが出来る。
【００４２】
収納ケースの管状部の両端側で内側に屈曲テープとの間で押付け調整手段を備えるテープ案内面からなる移動案内手段を設けたことにより、テープの屈曲部の上下の部分に適正に調整された押付け調整隙間が与えられ、屈曲されたテープの反発力で収納テープが収納ケース内に移動なく確り保持される物差しを提供することが出来る。
【００４３】
また、移動案内手段のテープ案内面を側壁の内側の中央部に形成された狭い幅の中央案内部や中央案内ローラとしたことにより、テープの挿入時や引き出し時に移動するテープ面をその中央部で受け止めてその屈曲や復元の円滑な移行を助けると共に、テープ面の擦過傷をその中央部分の狭い範囲に止めることが出来る。
【００４４】
また、移動案内手段のテープ案内面の内側位置に中央内側ローラからなる内側案内手段を設けたことにより、移動案内手段のテープ案内面との間で協働してテープ挿入時や引き出し時のテープ後端部の円滑な屈曲や復元を援助することが出来た。また、テープの屈曲部が内側へ移動するのを押えることが出来た。
【００４５】
また、テープ挿入口の上部の内側部分で外側に露出する指当て部備える薄板状の簡明な移動止めストッパ−を設けたことで、計測や取扱の邪魔にならず扱い易い収納ケースの物差しとすることが出来た。
【００４６】
また、同じストッパ−に収納ケースの前後の壁面に開けられた操作窓にも露出する操作突起を設けたことで、測定の状況に応じた操作し易い側で操作するテープの移動止め手段を備える収納ケースの物差しが得られた。
【００４７】
また、ストッパ−にテープ押端の上部の中間部に周りが細くなった板面の撓み部を設けたことで、テープ押し付け時に該撓み部に押し付けのクッションの働きを与えることが出来、テープ面を確り滑りなく押えることの出来る移動止めストッパーを備える収納ケースの物差しが得られた。
【００４８】
屈曲自在の真直な目盛りテープを収納ケースより完全に引き出して使用できるので、測定時にケースなどが邪魔にならず、狭隘な部分の計測がより行い易い物差しを提供することが出来る。
【００４９】
テープを湾曲の凸面側を内側に屈曲してケースに収納することにより計測時にテープの凸面側を上にして被計測物に当てられるので、目盛が被計測物にピッタリ付いて計測がし易い物差しを得ることが出来る。
【００５０】
本発明の収納ケース付の物差しでは、収納ケースよりテープの前端を引き出してテープ前端面、あるいは、前端のフックとケースの両端面との間で協働した色々な計測の応用が可能な物差しを得ることが出来る。
【図面の簡単な説明】
【００５１】
【図１】本発明の実施形態を示す物差しの平面図で、その中央部分を切除して示す図
【図２】同テープの正面図
【図３】水平な面上に置いた同テープの左側面図
【図４】本発明の他の実施形態を示す物差しの平面図で、その中央部分を切除して示す図
【図５】図４に示す物差しの正面図
【図６】本発明の物差しの他の実施例を示すその収納ケースの正面図で、一部を破断して内部を示す図
【図７】同収納ケースの図６における左側面図
【図８】本発明の他の実施例を示すその収納ケースの正面図で、一部を破断して内部を示す図
【図９】同収納ケースの図８における左側面図
【図１０】同収納ケースの図８における右側面図
【図１１】本発明の物差しの他の実施例を示すその収納ケースの正面図で、一部を破断して内部を示す図
【図１２】同収納ケースの図１１における左側面図で拡大して示す図
【図１３】同収納ケースの図１１における左側部分を示す部分正面図で拡大して示す図
【図１４】同収納ケースの図１１における左側面図でテープの移動ストッパーが押し下げられた状態を示す拡大図
【図１５】本発明の他の実施例を示す物差しの先端部分の正面図
【図１６】図１５に示す物差しの平面図
【図１７】図１６における１7−１７断面図
【図１８】図１５に示す物差しの底面図
【図１９】図１５に示す物差しの左側面図
【図２０】図１５における２０−２０断面図
【図２１】図１５における２１−２１断面図
【図２２】図２１においてフック板を回して下向きにした状態を示す断面図
【図２３】本発明の他の実施例を示す物差しの先端部分の正面図
【図２４】図２３に示す物差しの底面図
【図２５】図２３に示す物差しの左側面図
【図２６】図２３に示す物差しの左側面図でフック板を回して上向きにした状態を示す図
【図２７】本発明の他の実施例を示す物差しの先端部分の平面図
【図２８】本発明の物差しの一使用例を示す図
【図２９】本発明の物差しの他の使用例を示す図
【発明を実施するための形態】
【００５２】
以下に本発明の実施の形態を実施例に基づいて説明する。
図１〜図３の実施例は、水平な平面１上に置かれた湾曲したテープ面を有する屈曲自在のテープＡの物差しを示す。このテープＡの物差しは、薄い帯鋼で作られており、そのテープ面３は一定の曲率で上方に凸になるように湾曲している。テープＡはテープ面が湾曲面を回復しようとする力がテープを真直ぐに伸ばそうとする力となって作用する。テープは屈曲された時、その屈曲部の曲率はテープ面の湾曲による真直回復力の影響で、そのテープ固有の略一定の曲率を示す。前記一定の曲率の円（屈曲の最大直径）の範囲を超えると円は崩れて内部に直線部を形成するようになる。曲った部分のテープの横断面形状は真直ぐになる。この真直ぐになっている面が元の湾曲を回復しようとする力が、屈曲に対する強い反発力を生む。
【００５３】
テープ面には、その先端面４より後方へ尺度目盛り５が５５ｃｍまで刻まれている。
ここで、テープの後端側には幅狭の後端７に向かってテープの両側端より緩やかな傾斜の真直端面で延びる後端部６が形成されている。
この後端部６は、湾曲面の凸部の位置にあって湾曲しない平坦な面に形成され、置かれた平面１との間に隙間Sを有する。
この隙間Sは該物差しを指先で取り上げる掛かり部として充分である。そして、その弾力で一定の曲率までは何れの側にも柔軟に曲がり回復する。
このテープの後端部６の部分の形状は後の実施例に示す収納ケース内へのテープの円滑な収納にとって重要な機能を果たす。
即ち、この平坦な面の部分は屈曲に対する反発力と復元力が弱くなり、どちら側にも曲がりやすい状態になる。これによって、収納ケースへのテープ挿入の際は、後端部６が屈曲部で先の屈曲面に沿って円滑に屈曲され、滑らかな挿入が行われる。また、テープ引き出しの際にも、屈曲部での後端部６の急激な復元の付勢力を生ずることなく脈動のない円滑な引き出しが行われる。
テープの後端部６の部分の形状は収納ケース内へのテープの円滑な挿入と引き出しにとって重要である。特に、テープの引き出しの際の脈動に微妙な影響を与える。
テープの後端部が屈曲部を通過する際に、屈曲部の内側面にピッタリ沿って進行あるいは後退するような形状にすることで、脈動のないテープの移動が行われ、テープの落ち着きに優れる。
本発明において、テープの後端部６は平坦な面であり、且つ、幅狭の後端７に向かって両側端部より緩やかな傾きで伸びる真直端面に形成される。
【００５４】
図４〜図５の実施例は、水平な平面１′上に置かれた湾曲したテープ面を有する屈曲自在のテープの物差しの他の実施例を示す。このテープA′の物差しは、テープの後端側の一定長さの部分に後端部６′を備える物差しである。
この後端部６′は、湾曲面の凸部の位置にあって湾曲しない平坦な面に形成され、置かれた平面１′との間に隙間S′を有する。
ここで、尺度目盛り５′の終わった位置より後方へ一定の長さに伸びる後端部６′は、テープの両側端部より後端７′に向かって緩やかな傾きで内に凸な放物線状の曲面で伸びる形に形成されている。
後端部６′の内に凸な緩やかな放物線状の曲面で伸びる形は、該後端部６′が先のテープの屈曲部を通過する際に、屈曲部の内側面にピッタリ沿って移動するようにすべく、テープの屈曲部の曲率半径によってより厳密に決められる。
この後端部６′は前例の後端部６に比べより滑らかなテープの動きをする。
【００５５】
図６〜図１０は、テープＡaとテープＡbの物差しを収納する２種類の収納ケースの実施例を示す。
ここで、図６、図７の収納ケース１０aは、その横断面形状が方形をなし、その紙面に向かって正面の形状が長方形の両端が開放された真直ぐの管状体である。
該収納ケース１０aの内部は、その内幅ＷaがテープＡaの横幅より広く、その内高ＨaがテープＡaの屈曲の最大直径(屈曲されているテープが真直に転ずる時の最大の直径)以下である方形の孔になっている。
【００５６】
図６、図７は、テープＡaが収納ケース１０aにその凸面側を内側にして巻かれて収納された状態を示す実施例である。テープＡaを手の平に長円形に屈曲して巻いてそれをこの四角形の孔に挿入して収納することが出来る。テープＡaは、長円形に巻かれた巻きテープの状態で収納されており、その先端側を左側にして上下の真直部２９aと左右の屈曲部２８aを形成し、自らの弾力でケース内に保持される。即ち、左右両端のテープの屈曲部２８a、２８ｂの反発力により間にあるテープの上下の真直部２９a、２９bがケースの上下の真直ぐな内壁面１５aに押付けられ、内壁面１５aとの摩擦力で巻きテープ自体と該巻きテープの先端が安定に保持される。
この実施例のように凸面側を内側にして巻かれて収納されたされた場合、屈曲部２８aの反発力は、上下の真直部２９aのテープの凹面側の両横端が収納ケースの上下の内壁面１５aに押し付けられる。
これにより、テープの先端部Aaは、巻きテープ部分と共に上下の内壁面１５aとの摩擦力により収納ケース内に確りと保持される。
長さの計測は、露出している先端部をその摩擦抵抗に打ち勝つ力で引き出すなり、巻きテープの後側の屈曲部２８aを指で押して、全体を取り出すなりして行うことが出来る。
【００５７】
図８〜図１０は、テープＡbが収納ケース１０bにその凹面側を内側にして巻かれて収納された状態を示す実施例である。
この実施例では、収納ケースの前後の両側壁の内側にテープの移動案内手段が形成されている。この移動案内手段は屈曲されるテープ面との間で真直部の押付け力を調整する押付け調整手段（押付け調整隙間及び押付け調整角度）を備えている。押付け調整手段はテープＡbをテープ挿入口１３より出し入れする際に、上下の真直部２９bが内壁面１５bに押付けられる力を調整する。
図において、前側の側壁８はその内側に移動案内手段の中央案内部９を、後側の側壁８′は４個の中央案内ローラ９′を備える。前側の側壁８の下側にテープAbのテープ挿入口１３を備えている。
この実施例では、テープＡbはテープ挿入口１３よりその後端部６ｂ側を挿入して収納ケース１０b内に長孔状の巻きテープを形成して収納される。
テープＡbは、その先端側を前側の側壁のテープ挿入口１３側にして収納ケース内に上下の真直部２９bと左右の屈曲部２８bを形成している。
ここでは、上下の真直部２９bはそのテープ面の凸部側の中央部分が収納ケースの上下の内壁面１５bに押付けられ、前例同様に内壁面１５bとの摩擦力により収納ケース内に確りと保持されている。
これにより、テープAbの先端を引き出す際に、巻きテープの全体が引きずられて移動してくるのをこの移動案内手段の中央案内部９が受け止める。
【００５８】
前側の側壁８の中央部の幅の狭い中央案内部９は、テープの挿入時や引き出し時に移動するテープ面をその中央部で受け止めてその屈曲や復元の円滑な移行を助ける。そして、テープ面の擦過傷をその中央部分の狭い範囲に止める。
しかし、この中央案内部９の幅は、ここに示すものに限定されたものではなく、ケースの内幅の範囲で任意に選択することが出来る。
中央案内部９の内側面は、ここではテープの屈曲部２８bの外側に該屈曲部２８bの曲率より大きい曲率の曲面の案内壁面１１になっている。
この例に示すように、テープの屈曲面より大きい曲率の曲面とすることによりテープの屈曲部２８ｂの上下の部分に充分の間隔の押付け調整隙間Ｋが与えられる。これにより、屈曲されたテープの反発力を上下の真直部２９bに直に伝えることが出来る。
この案内壁面１１はこの例のような曲面にのみに限らず、屈曲部２８ｂの上下の部分に充分の押付け調整隙間Ｋを与えることが出来、且つ、挿入されるテープの後端を滑らかに屈曲させて案内することの出来る他の類似の傾斜面であっても良い。
ここでは、案内壁面１１の曲率を変えて押付け調整隙間Ｋを調整することで、テープの真直部２９bに対する屈曲部２８ｂの反発力を制御して真直部２９bと内壁面１５bとの摩擦抵抗を適正に調節することが出来る。
【００５９】
ケースの前後の移動案内手段は通常は同じにするが、この実施例では、収納ケースの後側の移動案内手段は前側の移動案内手段とは異にしている。後側の側壁８′の内側には、その中央位置に４個の中央案内ローラ９′からなる移動案内手段が設けてある。この４個の中央案内ローラ９′は側壁８′の内側の前後の中央部の位置でその内側の接触面１１′がテープの屈曲面の外側に接するようにして押付け調整角度R°で上下対称に配置されている。この中央案内ローラ９′は前記の中央案内部９と同じように幅の狭いローラであって、側壁８′の内側に回転自在に保持されている。しかし、この中央案内ローラ９′の幅についても同様に限定されたものではなく、ケースの内幅の範囲で任意に選択することが出来る。
この中央案内ローラ９′は、テープ挿入口１３よりテープAbが挿入される時に、テープ面をその中央部で受け止めてその後端部６bの円滑な屈曲移動を援助する。又、前記中央案内部９と同様に、テープ面の擦過傷をその中央部分の狭い範囲に止める。
ここでも、押付け調整角度R°を調整することでテープの真直部２９bに対する屈曲部の反発力を制御して真直部２９bと内壁面１５bとの摩擦力を適正に調整することが出来る。
【００６０】
ケースの前後の移動案内手段の内側の中央位置に中央内側ローラ１２からなる内側案内手段が設けてある。この中央内側ローラ１２は、テープが引き出される際に、移動案内手段の中央案内部９や中央案内ローラ９′との間で協働して挿入されるテープの後端部６bの屈曲を助け、且つ、引き出されるテープ後端部６bの円滑な復元を助ける作用をする。また、テープの屈曲部が内側へ移動するのを押える働きをする。この中央内側ローラ１２は、中央案内部９や中央案内ローラ９′と同じようにケースの中央部位置で幅狭いローラとすることでテープ面の擦過傷をその中央部分の狭い範囲に止める効果がある。しかし、この中央内側ローラ１２の幅についても中央案内ローラ９′等と同様に限定されたものではなく、ケースの内幅の範囲で任意に選択することが出来る。
また、該中央内側ローラ１２は、回転することが望ましいが、回転しないようにケース側に固定されたものであっても良い。
図中に示される指穴１４は、テープ先端を繰り出す時などの為のものである。
収納ケース１０bの横側面の下側には外方向に出っ張るスカート２０が形成されている。このスカート２０の上面２１の前端面から後端面には尺度目盛り２２が設けてある。これにより、この収納ケース１０b自体をそのまま直尺として扱うことが出来ると共に、図２８〜図２９に示すようなテープAbと協働した色々な計測の応用が出来る収納ケースである。
【００６１】
図１１〜図１４は、本発明のさらに他の実施例を示す。
ここで、テープAcはその凸面側を内側にして巻かれて収納されている。
この収納ケース１０cの前側の端部にはテープ挿入口１３cの上部にテープAcの移動を止めるテープ止め手段が設けられている。前側の側壁８cに設けられている移動案内手段の中央案内部９cの外側にその中央部分を外部に露出した上下にスライドする薄い板状のストッパ−３０が設けてある。該ストッパ−３０は耐摩耗性と弾性に富むプラスチック材等で作られている。
側壁８cの開かれた中央部の両横側の側壁の周縁部分に上下方向に伸びる溝状のスライド溝３１が形成されており、ストッパ−３０は、その横の両横端部を該スライド溝３１にスライド可能に保持されている。
スライド溝３１の後面（内側面）側の上半部分は後方へ窪んでおり、ストッパ−３０の撓み隙間が形成されている。
両横のスライド溝３１には各々その前面（外側面）側の内壁の上部に前後同じ位置に逆三角形状に窪む上部ラッチ溝３２が形成されている。また、その下部の前後同じ位置にも逆三角形状に窪む下部ラッチ溝３３が形成されている。
一方、ストッパ−３０にはその上部のラッチ溝に対面する部位の前面（外側面）側の壁にラッチ溝側に対応して各々逆三角形状に突出するラッチ爪３４が形成されている。
【００６２】
この実施例では、ストッパ−３０の正面形状は短い柄部３６を持った低いワイングラスの形をしており、下端側は収納ケースの前後側にＹ型に開いて前後のテープ押端３５を形成している。
ストッパ−３０の上辺部には側壁８cの両横の周縁部分の内側の開かれた部分いっぱいの幅で外側へ隆起した指当て部３７が形成されている。
ストッパ−３０はその上辺側の下部に長方形の穴が開いており、柄部３６の上部の周りに細くなった撓み部３８が形成されている。
ここで、ストッパ−３０の下端側の形状は挿入されているテープの湾曲面の向きによって異なる。この実施例と逆に凹面側を内側にして挿入されているテープの場合は、この例の両横にＹ型ではなく、中央の柄部３６がそのまま下側に伸びた棒状のテープ押端（図示せず）にし、テープの凹面の中央部を押し付けるものとなる。
【００６３】
図１１〜図１３では、ストッパ−３０のラッチ爪３４は上部ラッチ溝３２内にあって、ストッパ−３０は上方に引き上げられてテープ押端３５はテープ挿入口１３cの上部に引っ込んでいる状態である。
この位置において、指当て部３７を矢印Qで示す方向に押すことにより、図１４に示す状態にストッパ−３０を押し下げることが出来る。この時、ストッパ−３０のラッチ爪３４は下部ラッチ溝３３内にあって、そのテープ押端３５は凸状に湾曲したテープAcの両横の端を確り押し付けており、テープの移動止めの機能を果たしている。この時、撓み部３８は押し付けのクッションの働きをする。
テープの移動止めを解除するには、図１４に矢印Uで示す方向に指当て部３７を押すことによりラッチ爪３４を下部ラッチ溝３３から上部ラッチ溝３２側に移行させる。
【００６４】
該収納ケース１０cは、さらに収納ケースの前後側の壁にも同じテープ止め手段の操作部を備えている。
図１２〜図１４において、収納ケース１０cの前側の両横の壁には、側壁８内に形成されたスライド溝３１の上半部分に適合する位置に操作窓３９が開けられている。
一方、ストッパ−３０にはその上辺部分に両横のスライド溝より両横方向に外側へ突出し前記操作窓３９部分より収納ケースの両横の壁面側に露出する操作突起４０が形成されている。該操作突起４０は、その両横の突起部を手の第１指と第２指で摘まんで操作し易いように両横の操作窓３９内の部分に形成されており、ストッパ−３０を前述の前側の端面の操作と同様にして操作することが出来る。
これにより、測定の状況に応じて操作し易い側でテープの移動止め操作が出来る。
勿論、この操作部については、側壁の外側の指当て部３７によるものと、収納ケースの両横側の操作突起４０によるものとを別々の、各々独立した別異の操作部を持つものとして実施することが出来る。
【００６５】
図１５〜図２２はテープの先端部に湾曲したテープ面の凸側と凹側の何れの側にも回すことが出来るフックを備える物差しの実施例である。
ここで、上へ凸に湾曲しその伸長方向に対し直角の先端面５１を有する帯状のテープAdは、その先端部に上向きに突出して垂直に保たれたフック板５３を備えるフック体５０を備えている。
テープAdは、その先端が目盛りの１から始まるミリメートルの目盛り５２を有している。フック体５０は、テープの先端面５１の前の位置にあってその厚さPが１ミリメートルでテープの幅より僅かに広い幅とテープ上面からの高さＨを有する略長方形状のフック板５３を有する。このフック板５３はその下辺側の中央位置の後面５４にテープAdの凹面側に沿って後方へ垂直に伸びる軸部５６を有する。この軸部５６の中程の位置にカム部５７が形成されている。このカム部５７は上向きのフック板５３に対し９０°の向きでテープの横方向へ（平面図１６の下方向に）に突出する形に形成されている。
【００６６】
テープAdの凹面側に沿って伸びる軸部５６の外側（下側）はテープAdの凹側面に固定鋲５８によって固定された軸保持体５９によって覆われている。
この軸部５６の軸保持手段である軸保持体５９は薄い弾性に富む金属板で造られている。
軸保持体５９の前後の両側部分は図２０で示されるように丸い軸部５６に沿った形に形成されて軸を回転自在、且つ前後に移動可能に覆って押さえている。
【００６７】
ここで、軸保持体５９は、カム部５７を覆う部分の両横側の一方の側（図１８の上方側）の離れた位置に軸部の沿った方向の一定幅の切り目６０が入れられ、その切り目６０の前後の両端側が軸部に交差して反対側までに縦に深く切り離されたカム押え体６１を形成している。この部分の軸直角断面を示す図２１ではカム押え体６１はカム部５７の下側の側面に沿うような形に形成されてカム部５７の下側面をその弾性で押さえており、且つ、フック板５３が矢印方向に回された時は、カム部５７の回転によって仮想線で示されるように片開きに撓むことが出来るようになっている。このカム押え体６１によってフック板５３がテープの上向きに水平の状態が保たれる。
図２２はフック板５３が矢印方向に１８０°回転させられて下向きに水平になった状態を示す。フック板５３が矢印方向に９０°回転させられた状態のフック板５３とカム押え体６１が仮想線で示されている。
【００６８】
図１５において、被測定物Bdにはフック板の前面５５が押し当てられており、フック板５３はその後面５４をテープの先端面５１に押し当てられている。
即ち、フック板の前面５５はテープAdの目盛りの零点に等しい位置にある。
そこで、被測定物Bdの押し当て面からの長さは、１から始まるミリメートル目盛り５２の示す長さにフック板５３の厚みPの１ミリメートルを加えた長さとして正しく示される。
図１７〜図１８において、カム部５７の前側面６２はカム押え体６１の前側を押えている軸保持体５９の前側の覆いの後側面６３との間に間隔Ｒを有する。この間隔Rは、フック板５３の厚みPの１ミリメートルに等しくなっている。
そこで、フック板の後面５４が被測定物に押し当てられた際には、フック体５０は間隔Rの長さだけ前方へ移動することが出来る。即ち、カム部の前側面６２は前移動当て面であり、軸保持体５９の前側の後側面６３は前移動受面をなしフック体の前移動止め手段を構成する。
カム部の前後方向の長さは任意に決められる。軸部全体をカムの形に形成しても良い。その際に、カム押え体は、カムの長さに応じた形に形成される。
その際には、軸保持体５９の全体がカムを押えるカム押え体として機能することもある。
【００６９】
図２３〜図２６は湾曲したテープの先端部にテープ面の上側（凸側）と下側の何れの側にも回すことが出来るフックを備える物差しの他の実施例である。
以後の実施例において、前の図１５〜図２２の実施例に示す部分と同じ部分には同一の符号に ′、″を附して示し、その説明を省略して異なる部分について説明する。
【００７０】
この実施例において、テープAd′は、その先端に下向き（テープの凹面側）に回されたフック板５３′を備えるフック体５０′を備えている。
図２３において、被測定物Bd′にはフック板５３′の後面５４′が押し当てられており、フック体５０′は前方向に移動した状態にある。
図２４において、フック体５０′の前方向への移動は軸部５６′の後端に形成されている後部突起の前側面６２′の当て面が軸保持体５９′の後端面６３′の前移動受面に対面することで止められており、この部分でフック体５0′の前移動止め手段が構成されている。
フック体５０′の前方向への移動距離は間隔Ｒ′で示されている。前の例同様に、間隔Ｒ′はフック板５３′の厚さと同じの１ミリメートルであるから、フック板５３′の後面５４′はテープAd′の目盛りの零点に等しい位置にある。
そこで、被測定物Bd′の長さは、１から始まるミリメートル目盛りにフック体５０′の移動距離Ｒ′の１ミリメートルを加えた長さとして正しく示される。
前移動止め手段は、フック体側とテープと軸押え体側の任意に選択した部位との間に設けることが出来る。
【００７１】
図２４〜図２６において、フック体５０′にはフック板５３′の後面５４′上の軸部５６′の一方側に隣接した位置にテープAd′の前端部の凹面側内に突出する回り止め凸部６４が設けてある。
【００７２】
図２５に示されるフック板５３′が下向き（テープの凹面側）に回された状態において、回り止め凸部６４はフック板５３′を矢印６５方向に回すことを阻止し、反対方向にまわして上向きにすることを可能にする。
【００７３】
図２６に示されるフック板５３′が上向き（テープの凸面側）に回された状態において、回り止め凸部６４はフック板５３′を矢印６５′方向に回すことを阻止し、反対方向にまわして下向きにすることを可能にする。
ここに示す実施例においても、フック板をカム部のカム面がテープの凹面側に向かう方向に回すことは基本的に無理があるが、この回り止め凸部を設けることで、フック板を操作する指の感触によって反テープ面方向に旋回させて向きを変えることを援助する。
【００７４】
図２７はテープの先端部にテープ面の上側（凸側）と下側の何れの側にも回すことが出来るフックを備える物差しの他の実施例である。
この実施例で、底面等を表す図はフック板とフック窪み部の部分を除き基本的に図２４等と同じであるから、  ″の添え符号および以下の説明で示すに留めその表示を省略した。
ここで、上へ凸に湾曲しその伸長方向に対し直角の先端面５１″を有する帯状のテープAd″は、その先端部に下向きに突出し垂直に保たれたフック板５３″を備えるフック体５０″を備えている。
テープAd″は、その上面に目盛りの０から始まるミリメートルの目盛り５２″を有している。その先端面５１″の中央部にはフック窪み部６６が形成されている。
該フック窪み部６６は、フック板５３″の幅より広い幅であり、且つ、フック板５３″の厚さより深く形成されている。
ここに示されるフック板５３″は、そのフック窪み部６６の幅より狭い幅である。そこで、図に仮想線で示されるように、フック板５３″はその後面５４″がテープの先端面５１″より間隔P″だけフック窪み部６６内に引っ込んだ位置にあっても、その前面５５″はテープの先端面５１″より引っ込んだ位置に止まっている。
従って、フックを使わないでテープの先端面５１″を被測定物に直に押し当てての測定が出来る。
【００７５】
図２７は被測定物Bd″の前面にフック板５３″の後面５４″を引掛けての長さ測定状態を示している。
この時、フック体５0″の前方向への移動は軸５６″の後端に形成されている後部突起の前側面６２″の当て面が軸保持体５９′の後端面６３″の受面に対面して止められており、この時のフック体５０″の移動距離R″はテープの先端面５１″からフック板の後面５４″の引っ込み間隔P″に等しくフック板５３″の後面５４″はテープAd″の目盛りの零点の位置にあり、正しい計測が行われる。
フック体５0″の後部突起の前端面６２″と軸保持体５９″の後端面６３″との間でその前移動止め手段が構成されている。
【００７６】
図２８は、本発明の物差しの他の使用例を示している。
上部に障害部７１のある槽７２の内側のLt寸法を計測している内側パス的ないしノギス的使用例である。収納ケース１０ｄの後端面が計測に使われている。
Lt= Lv+ Lcである。
【００７７】
図２９は、本発明の物差しの他の使用例を示している。
平板７３のLu寸法位置に罫書線を引いている基準尺的使用例である。
収納ケース１０ｄの後端面が罫書に使われている。Lu= Lx+ Lcである。
【００７８】
日常における一寸した物の寸法採り、あるいは工作物の製作器具として、あるいは、広い産業分野の技術者の測定用具としての利用が見込まれる。
【符号の説明】
【００７９】
Ａ、Ａa、Ａb、Ａc、Ａd、Ａd′、Ａd″----テープ(物差し)
K-----------------------押付け調整隙間
P、P′-------------------フック板の厚さ
P″---------------------引っ込み間隔
R、R′、R″-------------間隔
S----------------------隙間
Q、U-------------------矢印
Ha、Hb-----------------収納ケースの内高
Wa、Wb-----------------収納ケースの内幅
R°--------------------押付け調整角度
Lc、Lt、Lu、Lv、Lx -------寸法
１----------------------平面
３----------------------テープの凸面側
４、４′、５１-------------テープの先端面
５、５２------------------尺度目盛り
６′、７、６a、６b、６c ------テープの後端部
７′--------------------テープの後端
８、８′、８c -------------前後の側壁
９、９c------------------中央案内部
９′--------------------中央案内ローラ
１０a、１０b、１０c、１０d ----収納ケース
１１、１１c ---------------案内壁面
１１′------------------案内ローラの接触面
１２、１２c ---------------中央内側ローラ
１３、１３′、１３c ---------テープ挿入口
１４--------------------指穴
１５a、１５b--------------内壁面
２０--------------------スカート
２１--------------------上面
２２--------------------尺度目盛り
２８a、２８b、２８c ---------屈曲面
２９a、２９b、２９c ---------真直部
３０--------------------ストッパ−
３１--------------------スライド溝
３２--------------------上部ラッチ溝
３３--------------------下部ラッチ溝
３４--------------------ラッチ爪
３５--------------------テープ押端
３６--------------------細い胴部
３７--------------------指当て部
３８--------------------撓み部
３９--------------------操作窓
４０--------------------操作突起-
５０、５０′--------------フック体
５１、５１″--------------テープの先端面
５２、５２′、５２″--------目盛り
５３、５３′、５３″--------フック板
５４、５４′、５４″--------フック板の後面
５５、５５′、５５″--------フック板の前面
５６、５６′、５６″--------軸部
５７、５７′、５７″------------------カム部
５８、５８′、５８″------------------固定鋲
５９、５９′------------------軸保持体（軸保持手段）
６０、６０′------------------切り目
６１、６１′------------------カム押え体
６２、６２′、６２″------------------前端面
６３、６３′、６３″------------------後端面
６４------------------回り止め凸部
６５、６５′------------矢印
６６------------------窪み部
【図１】
2019174430.tif 000003
【図２】
2019174430.tif 000004
【図３】
2019174430.tif 000005
【図４】
2019174430.tif 000006
【図５】
2019174430.tif 000007
【図６】
2019174430.tif 000008
【図７】
2019174430.tif 000009
【図８】
2019174430.tif 000010
【図９】
2019174430.tif 000011
【図１０】
2019174430.tif 000012
【図１１】
2019174430.tif 000013
【図１２】
2019174430.tif 000014
【図１３】
2019174430.tif 000015
【図１４】
2019174430.tif 000016
【図１５】
2019174430.tif 000017
【図１６】
2019174430.tif 000018
【図１７】
2019174430.tif 000019
【図１８】
2019174430.tif 000020
【図１９】
2019174430.tif 000021
【図２０】
2019174430.tif 000022
【図２１】
2019174430.tif 000023
【図２２】
2019174430.tif 000024
【図２３】
2019174430.tif 000025
【図２４】
2019174430.tif 000026
【図２５】
2019174430.tif 000027
【図２６】
2019174430.tif 000028
【図２７】
2019174430.tif 000029
【図２８】
2019174430.tif 000030
【図２９】
2019174430.tif 000031